【手続補正書】
【提出日】平成29年1月10日(2017.1.10)
【手続補正１】
【補正対象書類名】特許請求の範囲
【補正対象項目名】全文
【補正方法】変更
【補正の内容】
【特許請求の範囲】
【請求項１】
計算ネットワークにおけるリンクを介して素量データを送信する計算デバイスであって、
当該計算デバイスが多数の異なるアウトバウンド・リンクを介してデータを送信することができるネットワーク・インターフェースと、
１つ以上の処理ユニットであって、
宛先に送信されている素量データおよび関連する入札情報を受信するステップと、
少なくとも１つのアウトバウンド・リンクを、前記多数の異なるアウトバウンド・リンクの中から選択するステップであって、該選択が前記宛先を通知されるステップと、
前記関連する入札情報に基づいて、前記受信した素量データの前記選択したアウトバウンド・リンクを介した送信に対して入札を出すステップと、
前記出した入札が受け付けられた場合にのみ、前記受信した素量データを、前記選択したアウトバウンド・リンクを介して送信するステップと、
を含むステップを実行するように構成される１つ以上の処理ユニットと、
を備える、計算デバイス。
【請求項２】
請求項１記載の計算デバイスにおいて、
前記関連する入札情報が、総合入札の残りの量を示す情報を含み、
前記総合入札が、前記素量データの二点間送信に対する入札を表し、前記アウトバウンド・リンクが前記二点間送信における多数のリンク間の１つのみのリンクであり、更に、
前記入札を出すステップが、前記総合入札の残りの量に対して同等である入札を出すステップを含む、計算デバイス。
【請求項３】
請求項１記載の計算デバイスにおいて、
前記関連する入札情報が、総合入札の残りの量を示す情報を含み、
前記総合入札が、前記素量データの二点間送信に対する入札を表し、前記アウトバウンド・リンクが前記二点間送信における多数のリンク間の１つのみのリンクであり、更に、
前記入札を出すステップが、前記総合入札の残りの量の所定部分に対して同等である入札を出すステップを含む、計算デバイス。
【請求項４】
請求項１記載の計算デバイスであって、
前記１つ以上の処理ユニットが、更に、前記素量データと関連付けされたレイテンシ要件を受信するステップを含むステップを実行するように構成され、
前記入札を出すステップが、前記素量データと関連付けられた前記レイテンシ要件が満たされ続ける場合にのみ、前記入札を出すステップを含む、計算デバイス。
【請求項５】
請求項１記載の計算デバイスであって、
前記１つ以上の処理ユニットが、更に、前記素量データと関連付けられたルーティング情報を受信するステップを含むステップを実行するように構成され、
前記選択が、更に、前記受信したルーティング情報を通知される、計算デバイス。
【請求項６】
請求項１記載の計算デバイスにおいて、
前記選択が更に、前記多数の異なるアウトバウンド・リンクと関連付けられた過去の価格決定情報を通知され、前記過去の価格決定情報が、入札選択プロセスによって確定される、計算デバイス。
【請求項７】
請求項１記載の計算デバイスにおいて、前記素量データが１つのパケットである、計算デバイス。
【請求項８】
多数のリンクを含む計算ネットワークを介してデータをルーティングする方法であって、前記多数のリンクのそれぞれがリンク・エンドポイントを有し、当該方法が、
前記計算ネットワークの第１リンクを介した素量データの送信に対して、前記素量データと関連付けられた入札情報から、入札を出すステップと、
ソート判断基準にしたがって、前記出した入札をソートするステップと、
前記ソートの後、前記計算ネットワークの前記第１リンクを介して、最高入札と関連付けられた素量データを送信するステップと、
前記第１リンクを介して、未だ送信されていない前記素量データの少なくとも幾らかについて前記出すステップを繰り返すステップと、
前記計算ネットワークの他のリンクについて、前記出すステップ、前記ソートするステップ、および前記送信するステップを繰り返すステップと、
を含む、方法。
【請求項９】
請求項８記載の方法であって、更に、前記計算ネットワークの前記第１リンクを介して、前記最高入札と関連付けられた前記素量データを送信する前記ステップに対し、前記ソートした入札の中から、２番目に高い入札の値よりも１刻みだけ大きい量を顧客に課金するステップを含む、方法。
【請求項１０】
請求項８記載の方法において、前記ソート判断基準が入札の金銭的な量である、方法。
【請求項１１】
請求項８記載の方法であって、更に、リンク毎に前記計算ネットワークについての過去の価格決定情報を提示するステップであって、各リンクが、当該リンクを介してデータを送信するために課金された以前の量を示す、ステップを含む、方法。
【請求項１２】
請求項１１記載の方法であって、更に、前記過去の価格決定情報を事前処理して、容量計画策定において補助する判断基準を生成するステップを更に含む、方法。
【請求項１３】
請求項１１記載の方法であって、入札を出すためのリンクを、多数の異なるリンクの中から選択するステップであって、該選択が前記過去の価格決定情報を通知されるステップを更に含む、方法。
【請求項１４】
請求項８記載の方法であって、更に、
前記素量データの少なくとも幾らかと関連付けられるルーティング情報を受信するステップと、
前記素量データの前記少なくとも幾らかについて、入札を出すためのリンクを、多数の異なるリンクの中から選択するステップであって、該選択が前記ルーティング情報を通知されるステップと、
を含む、方法。
【請求項１５】
請求項８記載の方法において、前記ソートするステップが、前記計算ネットワークの第１リンクがデータを送信する準備ができているときに生じる、方法。
【請求項１６】
計算ネットワークのリンクを介して素量データを送信する方法であって、
宛先に送信されている素量データおよび関連する入札情報を受信するステップと、
少なくとも１つのアウトバウンド・リンクを、多数の異なるアウトバウンド・リンクの中から選択するステップであって、該選択が前記宛先を通知されるステップと、
前記関連する入札情報に基づいて、前記受信した素量データの前記選択したアウトバウンド・リンクを介した送信に対して入札を出すステップと、
前記出した入札が選択された場合にのみ、前記受信した素量データを、前記選択した前記アウトバウンド・リンクを介して送信するステップと、
を含む、方法。
【請求項１７】
請求項１６記載の方法において、
前記関連する入札情報が、総合入札の残りの量を示す情報を含み、
前記総合入札が、前記素量データの二点間送信に対する入札を表し、前記アウトバウンド・リンクが前記二点間送信における多数のリンク間の１つのみのリンクであり、更に、
前記入札を出すステップが、前記総合入札の残りの量に対して同等である入札を出すステップを含む、方法。
【請求項１８】
請求項１６記載の方法において、
前記関連する入札情報が、総合入札の残りの量を示す情報を含み、
前記総合入札が、前記素量データの二点間送信に対する入札を表し、前記アウトバウンド・リンクが前記二点間送信における多数のリンク間の１つのみのリンクであり、更に、
前記入札を出すステップが、前記総合入札の残りの量の所定部分に対して同等である入札を出すステップを含む、方法。
【請求項１９】
請求項１６記載の方法であって、更に、
前記素量データと関連付けされたレイテンシ要件を受信するステップを含み、
前記入札を出すステップが、前記素量データと関連付けられた前記レイテンシ要件が満たされ続ける場合にのみ、前記入札を出すステップを含む、方法。
【請求項２０】
請求項１６記載の方法であって、更に、
前記素量データと関連付けられたルーティング情報を受信するステップを含むステップを含み、前記選択するステップが、更に、前記受信したルーティング情報を通知される、方法。